(57)【要約】【課題】  チェーンソーの目立て補修ヤスリを持ち運ぶ際に安全に収納できるヤスリケースを提供する。【解決手段】  内部穴（１０）を有する長尺筒体（８）とその口部（９）を塞ぐ蓋（１８）とからなるヤスリケースであって、長尺筒体（８）の内部穴（１０）は上方にヤスリ（２０）のグリップ（１５）の径に相当する径を有する口部（９）を有してヤスリ（２０）本体には非接触で収納する。口部（９）を塞ぐ前記蓋（１８）は、頂部に摘み（１）を有し、蓋装着部（２）に深く８回転以上でネジ螺合している。【選択図】  図１
0003125814.tif 000002
【実用新案登録請求の範囲】
【請求項１】
底部（５）で閉塞されて内部穴（１０）を有する長尺筒体（８）と前記長尺筒体（８）の口部（９）を塞ぐ蓋（１８）とからなるヤスリケースであって、長尺筒体（８）の内部穴（１０）は上方にヤスリ（２０）のグリップ（１５）の径に相当する径を有する口部（９）を有してヤスリ（２０）本体には非接触で収納するもので、口部（９）を塞ぐ前記蓋（１８）は、頂部に摘み（１）を有し、前記口部（９）の内部に深く形成した雌ネジを有する蓋装着部（２）に螺合する長い雄ネジを形成したことを特徴とするヤスリケース。
【請求項２】
底部（５）で閉塞されて内部穴（１０）を有する長尺筒体（８）と前記長尺筒体（８）の口部（９）を塞ぐ蓋（１８）とからなるヤスリケースであって、長尺筒体（８）の内部穴（１０）は上方にヤスリ（２０）のグリップ（１５）の径に相当する径を有する口部（９）を有してヤスリ（２０）本体には非接触で収納するもので、ヤスリ（２０）とグリップ（１５）は交換自在に着脱できるもので、口部（９）を塞ぐ前記蓋（１８）は、頂部に摘み（１）を有し、口部（９）の内部に深く形成した雌ネジを有する蓋装着部（２）に螺合する長い雄ネジを形成したことを特徴とするヤスリケース。
【請求項３】
前記蓋（１８）は金属製で、蓋頂部およびその摘み（１）は防錆塗料で被覆してあり、摘み（１）は板状に立設したものであることを特徴とする請求項１〜請求項２のいずれかに記載のヤスリケース。
【請求項４】
前記蓋（１８）に紐の取付孔（１２）を設け、前記蓋（１８）はゴムリング（１３）を介在して螺合することを特徴とする請求項１〜請求項３のいずれかに記載のヤスリケース。
【請求項５】
前記長尺筒体（８）は、蓋装着部（２）と外筒（３）との間に溝（６）を設けたことを特徴とする請求項１〜請求項４のいずれかに記載のヤスリケース。
【請求項６】
前記溝（６）に紐（７）を取り付けたことを特徴とする請求項１〜請求項５のいずれかに記載のヤスリケース。
【請求項７】
前記長尺筒体（８）は、塩化ビニール等の硬質合成樹脂製であることを特徴とする請求項１〜請求項７のいずれかに記載のヤスリケース。
【請求項８】
前記蓋（１８）と前記本体蓋装着部（２）は、ネジで螺合し、少なくとも雄ネジのネジ山は８回転以上の螺旋であり、好ましくは１０回転以上の螺旋で構成されたことを特徴とする請求項１〜請求項７のいずれかに記載のヤスリケース。
【考案の詳細な説明】
【技術分野】
【０００１】
本考案は、チェーンソーの修理に用いられるヤスリケースに関するものである。
【背景技術】
【０００２】
一般に、チェーンソーを使用する現場では、チェーンソーが石等の異物に当たって刃こぼれすることが多いので、目立て等補修用のヤスリを常時携帯している。
ヤスリは道具箱等の他の場所に置いていてむきだしの状態で持ち運びされ、或いはポケットに入れて携帯しておき、ソーの刃こぼれの場合は現場で刃こぼれ部分を即時に修復してチェーンソーがすぐに使用できるように準備している。
【０００３】
ところが、チェーンソーを使う伐採作業は自然相手であるので、その動きは激しく足場が悪く、ヤスリを落として紛失したり、ポケットのヤスリや、その辺に置いたヤスリで足をつついたり、太ももに刺したりする事故があった。
ヤスリは細く鋭利であり、山中の伐採作業では怪我の程度で生命の危険を招来する危険性もあった。
【０００４】
従来の工具ケースには、工具全般を入れる仕様になっているものがあるが、使用の便を考慮して工具は剥き出しである。(例えば、特許文献１参照。)。
また、腰回りに多数の工具を差し込むホルダーなどがあるが、チェーンソー補修用のヤスリのような細い鋭利なもののホルダーはない。
【０００５】
【特許文献１】特開２００３−０８２８５６号公報。
【０００６】
しかし、上述のようにホルダー等で持ち運ぶ場合に、工具とケースが合っていない場合や露出している場合は、工具を落下紛失したり、工具で怪我をする例がある。
チェーンソー用の補修のヤスリは、剥き出しで携帯できないものであるが、実際には伐採作業などでは放置したり、ポケットに入れておくことが多い。
因みに、出願人は、ヤスリケースは知見していない。
【考案の開示】
【考案が解決しようとする課題】
【０００７】
解決しようとする問題点は、以下の通りである。
（１）チェーンソーの現場修理で使用するヤスリ携帯用ケースがない点。
（２）従来の工具ケースでは入れたヤスリが落下してしまう点。
（３）従来の工具ケースは入れたヤスリが固定されず動いてしまう点。
（４）従来の工具ケースはヤスリに合わせた構成になっていない点。
【課題を解決するための手段】
【０００８】
本考案は、ヤスリに合わせた特有のヤスリケースを作ることにより、安全な持ち運びを可能とすることを最も主要な目的とする。
【０００９】
この目的及び前記課題を解決するため、本考案は、底部（５）で閉塞されて内部穴（１０）を有する長尺筒体（８）と前記長尺筒体（８）の口部（９）を塞ぐ蓋（１８）とからなるヤスリケースであって、長尺筒体（８）の内部穴（１０）は上方にヤスリ（２０）のグリップ（１５）の径に相当する径を有する口部（９）を有してヤスリ（２０）本体には非接触で収納するものである。
ヤスリ（２０）とそのグリップ（１５）が固着されたもの、又はヤスリ（２０）とグリップ（１５）は交換自在に着脱できるもので、口部（９）を塞ぐ前記蓋（１８）は、頂部に摘み（１）を有し、口部（９）の内部に深く形成した雌ネジを有する蓋装着部（２）に螺合する長い雄ネジを形成したことを特徴とするヤスリケースである。
【００１０】
長尺筒体（８）は塩化ビニール等の硬質合成樹脂製であり、蓋（１８）は金属製で、蓋頂部およびその摘み（１）は防錆塗料で被覆してあり、摘み（１）は板状に立設したものである。
【００１１】
蓋（１８）と本体蓋装着部（２）は、深く作られていて、前記蓋（１８）と前記本体蓋装着部（２）は、ネジで螺合し、少なくとも雄ネジのネジ山は８回転以上の螺旋であり、好ましくは１０回転以上の螺旋で構成されている。
つまり螺旋螺合で回転の数を多く設定している。
摘み（１）は板状であるので、たいへん回しやすい。
長尺筒体（８）は、外周上部に紐などを取り付けるように溝（環状凹部）を形成している。
さらには摘み（１）に紐等の取付孔（１２）を備えて紐を通して脱落を防止し、又前記蓋（１８）はゴムリング（１３）を介在させて螺合し密封性を高める構成を提案する。
【考案の効果】
【００１２】
本考案によれば、ヤスリをケースに入れるため、むきだしの状態で持つことがなく怪我を防ぎ安全に運ぶことができる。
そして、本考案の上記構成に係るヤスリケースによれば、チェーンソーでの伐採作業のような激しい動きの中でも、蓋は脱落することなくしかも、ヤスリを使いたいときはすぐさま摘みを回転させればヤスリを取り出すことができ、ソーの研磨切削で補修が完了した後は、上からヤスリを投入するだけでしっかりとヤスリのグリップが長尺筒体の内部穴に収納されて動くことがなくなる。
【００１３】
振動によるカタコト音も発せず、一方内部に存在することを確認しようとすれば、上下方向に振るか、大きく回すとヤスリ先端と内部穴がヒットしてコロコロ音で確認できる。
また蓋と本体蓋装着部は、前期のように深く作られていて、少なくとも雄ネジのネジ山は８つ以上の螺旋であり、ケースを動かすことにより、蓋が緩むことはなく、中に入れたヤスリが飛び出す危険性をなくし安全性を高めている。
【００１４】
ヤスリケースは、ヤスリに合わせた寸法と前記形態で加工しているため、中でヤスリが事実上固定されていて大きな動きがないとともに、密封状態になる。
【００１５】
蓋にゴムリングを装着した場合は、蓋を締め過ぎることがなく、奥に行き過ぎることがない。
蓋頭頂部は防錆塗料で被覆しているが、塗料はビニール系塗料で、滑りにくくかつ錆び止めになっている。
さらに持ち運びも手軽にできるように紐やベルト等を取り付け可能にする溝を有する部分があり、腰に付けたり、チェーンソーのハンドル付近に取り付けが可能となり持つ手間を省くことができる。
【考案を実施するための最良の形態】
【００１６】
本考案のヤスリケースは図１から図６で示す通り、チェーンソーの補修用のヤスリを入れ安全に持ち運びが可能となるものである。
本考案に係るヤスリケースの実施の一形態を説明すると、長尺筒体（８）に内部穴（１０）を有し、口部（９）を塞ぐ蓋（１８）からなるヤスリケースであって、長尺筒体（８）の内部穴（１０）は上方にヤスリ（２０）のグリップ（１５）の径に相当する径を有する口部（９）を有してヤスリ（２０）本体には非接触で収納するもので、口部（９）を塞ぐ蓋（１８）は、頂部に摘み（１）を有し、口部（９）の内部に深く形成した雌ネジを有する蓋装着部（２）に螺合する長い雄ネジを形成した形態であることを特徴とするヤスリケースである。
【００１７】
長尺筒体（８）は塩化ビニール等の硬質合成樹脂製であり、蓋（１８）は金属製で、蓋頂部およびその摘み（１）は防錆塗料で被覆してあり、摘み（１）は立設した矩形板状のものである。
蓋（１８）と本体蓋装着部（２）は、深く作られていて、少なくとも雄ネジのネジ山は８つ以上の螺旋であり、好ましくは１０以上の螺旋で回転の数を多く設定している。
摘み（１）は板状であるので、たいへん回しやすい。
長尺筒体（８）は、外周上部に、紐（７）などを巻いて取り付けるように溝（６）＝環状凹部を形成している。
【００１８】
さらには摘み（１）に取付孔（１２）を備えて紐（７）を通して脱落を防止し、又、蓋（１８）にゴムリング（１３）を介在させて密封性を高める構成を提案する。
【実施例１】
【００１９】
次に実施例１について説明する。
図１は、本考案に係るヤスリケースの実施例１を示す全体正面図、図２は長尺筒体の内部を示す断面図で、ヤスリが内部に非接触で収納されていることを示している。図３は蓋を外した長尺筒体の平面図である。
図４は蓋正面図であり、  図６は、本考案において使用するヤスリの正面図であり、グリップが太く改良されかつテーパを形成したことを示すものである。
【００２０】
図１に示す実施例１は、底部（５）のある長尺筒体（８）である筒体（４）に内部穴（１０）を設けたもので、内部穴（１０）の上方にある口部（９）を塞ぐ蓋（１８）を組み合わせたヤスリケースである。
【００２１】
チェーンソーの補修に使用するヤスリ（２０）は、図６に示すように、先端を切断した４ｍｍの丸棒で、根元と先端を残して，全体に研磨面（１７）を形成したもので、後端に最後尾が最径大になるようなテーパを備えたグリップ（１５）を設けたものである。
グリップ（１５）には、鋭利なグリップ挿入部（１６）が差し込まれる。
図６のヤスリ（２０）実物は全長２５Ｃｍである。
グリップ（１５）は、ヤスリ（２０）後端にしっかりと装着されている。
グリップ（１５）は、ヤスリ（２０）後端に接着固定したもの、およびヤスリを交換できるようにヤスリ（２０）後端に着脱自在に挿入装着する構成がある。
チェーンソーの補修に使用するヤスリ（２０）は、丸棒ヤスリで直径４ｍｍや直径４，８ｍｍなどソーの刃に応じて数種の径のものがあるが、グリップ（１５）を交換自在にしておけば、所望の径のヤスリ（２０）を装着して、本考案のヤスリケースに収納できる。
グリップ（１５）とヤスリ本体（２０）を交換自在としたことで、携帯できるヤスリ（２０）の種類を選択できる。
このヤスリ（２０）は一見危険性を感じさせないが、実際は従来落下や露出していたために携帯中の事故が起きているものである。
【００２２】
長尺筒体（８）の内部穴（１０）は上方にヤスリ（２０）のグリップ（１５）の径に相当する径を有する口部（９）を有してヤスリ（２０）本体には非接触で収納するものである。
図２のように、グリップ（１５）の径大後端のみが口部（９）に接触して、不動に収納する構造である。
鑢の金属面は非常に錆びやすいので、非接触収納は、ヤスリを長持ちさせる。
口部（９）を塞ぐ蓋（１８）は、頂部に摘み（１）を有し、口部（９）の内部に深く形成した雌ネジを有する蓋装着部（２）に螺合する長い雄ネジを形成した形態である。
【００２３】
長尺筒体（８）は、上方に雌ネジを有する蓋装着部（２）を形成し、その下の外周上部に、紐（７）などを巻いて取り付けるように溝（６）＝環状凹部を形成している。
この溝（６）＝環状凹部は、前記本体蓋装着部（２）と、少し間隔をおいて嵌合した外筒（３）との当該間隔で形成している。
長尺筒体（８）は塩化ビニール等の硬質合成樹脂製であり、蓋（１８）は金属製で、蓋頂部およびその摘み（１）は防錆塗料で被覆してあり、摘み（１）は立設した矩形板状のものである。
【００２４】
図２は、前記長尺筒体（８）の断面図である。
前記長尺筒体（８）は、全長３５Ｃｍで、直径１６ｍｍの筒体（穴径は１２ｍｍ）で、その肉厚は２ｍｍである。
この実施例１とは異なるが、長尺筒体（８）の肉厚は１，５ｍｍ以上で、好ましくは３ｍｍ位である。
できれば、チェーンソーで切断できず、かつ踏んでも破砕しない強度が要請される。
前記長尺筒体（８）の素材は塩化ビニールであるが、その他の硬質合成樹脂でも製造可能である。
【００２５】
蓋（１８）と本体蓋装着部（２）の螺状部分（１４）は、深く作られていて、少なくとも雄ネジのネジ山は８つ以上の螺旋であり、実施例では９つのネジ山を形成したものであるが、好ましくは１０以上の螺旋で回転の数を多く設定するのが良い。
両者は８回転以上、好ましくは１０回転以上で、螺合するネジが好ましい。
摘み（１）は板状であるので、指先ではさみやすく、たいへん回しやすい。
図４は、前記蓋（１８）の正面図である。
前記蓋（１８）の素材は鉄製であり、２０ｍｍの直径でネジ部の高さは２０ｍｍである。
前記蓋の摘み（１）は、高さ１０ｍｍ、幅１６ｍｍ、厚さが２ｍｍに削り出されている。
蓋（１８）の素材は、前記長尺筒体（８）の素材と異なる金属製が好ましくアルミ製等でも良い。
【００２６】
前記長尺筒体（８）は、前記本体蓋装着部（２）と前記外筒（３）との間に溝（６）を有し、この溝（６）に環を作った紐（７）を巻きつけて携帯すると、伐採作業時に、ベルトに通して、携帯することもできる。
もとより前記紐（７）は取り外し可能で、鎖やベルト等を前記紐（７）に替えて装着できる。
蓋（１８）の頭頂部（１９）は防錆塗料で被覆している。
塗料はビニール系塗料で、滑りにくくかつ防水錆止めになっている。
【実施例２】
【００２７】
図５は、図４と異なる蓋（１８）を示すもので、紐等の取付孔（１２）及びゴムリング（１３）を設けた蓋（１８）の斜視図である。
実施例２は、前記長尺筒体（８）にこの蓋（１８）を組み合わせた構成である。
前記取付孔（１２）には紐等を通し、図１の本体蓋装着部（２）と外筒（３）の間の溝（６）に結び着け前記蓋（１８）が落下しないようにすることが可能である。
又蓋（１８）の上部にゴムリング（１３）を装着することにより前記蓋（１８）が締めすぎないようにかつ奥まで行かないようにしている。
蓋（１８）にゴムリング（１３）等の止具を装着した場合は、蓋を締め過ぎて開蓋できなくなったり、奥に行き過ぎることがない。
前記ゴムリング（１３）は、弾性部材であれば、ゴム以外のものでもよい。
【００２８】
以上の実施例はあくまで一例であり、寸法、素材、などはこれに限定されるものではない。
ケース本体に横穴を穿け通気性をよくし、或いは防錆剤を塗布しておくことや、さらに軽量化を図ることなどは、本発明者が予想する設計変更事項である。
【産業上の利用可能性】
【００２９】
伐採作業などでチェーンソーを使用するときは、目立て等その補修のために、ヤスリを常時持ち運びすることは必要なことである。
しかし、むきだしの状態で持ち運びを行ったり、工具に合っていないケースを使用して携帯し、ヤスリを落下紛失したり、或いは不測にも怪我をするということがあり、携帯時の安全性が保たれていない面があった。
【００３０】
本考案のヤスリケースは、交換自在なグリップを有するヤスリとグリップ径に整合する内部穴を有する長尺筒体に、深く螺合する蓋を装着するため、中に入れたヤスリが大きく動くことがなく落下することもなく、紛失もなく、一旦収納しさえすれば怪我をするということもない。
このように、危険性の高い工具をしっかり収納し、工具のサイズが変わってもその交換自在なグリップに合ったケースで、収納することで、安全な携帯に寄与することができるものであり、チェーンソー用のヤスリだけでなくそれに近い形の長尺体を入れて保護するなどの利用も可能である。
【図面の簡単な説明】
【００３１】
【図１】本考案に係るヤスリケースの実施例１を示す正面図。
【図２】同じく実施例１の長尺筒体の断面図。
【図３】同じく実施例１の長尺筒体の平面図。
【図４】実施例１で用いる蓋の正面図。
【図５】異なる形態の蓋を示す斜視図。
【図６】チェーンソー用のヤスリの正面図。
【符号の説明】
【００３２】
１    蓋の摘み
２    本体蓋装着部
３    外筒
４    筒体
５    底部
６    溝
７    紐
８    長尺筒体
９    口部
１０  内部穴
１１  頭頂部
１２  取付孔
１３  ゴムリング
１４  螺状部分
１５  ヤスリのグリップ
１６  グリップ挿入部
１７  研磨部
１８  蓋
１９  蓋頭頂部
２０  ヤスリ
【図１】
0003125814.tif 000003
【図２】
0003125814.tif 000004
【図３】
0003125814.tif 000005
【図４】
0003125814.tif 000006
【図５】
0003125814.tif 000007
【図６】
0003125814.tif 000008
【手続補正書】
【提出日】平成18年7月24日(2006.7.24)
【手続補正１】
【補正対象書類名】実用新案登録請求の範囲
【補正対象項目名】全文
【補正方法】変更
【補正の内容】
【実用新案登録請求の範囲】
【請求項１】
底部（５）で閉塞されて内部穴（１０）を有する長尺筒体（８）と前記長尺筒体（８）の口部（９）を塞ぐ蓋（１８）とからなるヤスリケースであって、長尺筒体（８）の内部穴（１０）は上方にヤスリ（２０）のグリップ（１５）の径に相当する径を有する口部（９）を有してヤスリ（２０）本体には非接触で収納するもので、口部（９）を塞ぐ前記蓋（１８）は、頂部に摘み（１）を有し、前記口部（９）の内部に深く形成した雌ネジを有する蓋装着部（２）に螺合する長い雄ネジを形成したことを特徴とするヤスリケース。
【請求項２】
底部（５）で閉塞されて内部穴（１０）を有する長尺筒体（８）と前記長尺筒体（８）の口部（９）を塞ぐ蓋（１８）とからなるヤスリケースであって、長尺筒体（８）の内部穴（１０）は上方にヤスリ（２０）のグリップ（１５）の径に相当する径を有する口部（９）を有してヤスリ（２０）本体には非接触で収納するもので、ヤスリ（２０）とグリップ（１５）は交換自在に着脱できるもので、口部（９）を塞ぐ前記蓋（１８）は、頂部に摘み（１）を有し、口部（９）の内部に深く形成した雌ネジを有する蓋装着部（２）に螺合する長い雄ネジを形成したことを特徴とするヤスリケース。
【請求項３】
前記蓋（１８）は金属製で、蓋頂部およびその摘み（１）は防錆塗料で被覆してあり、摘み（１）は板状に立設したものであることを特徴とする請求項１〜請求項２のいずれかに記載のヤスリケース。
【請求項４】
前記蓋（１８）に紐の取付孔（１２）を設け、前記蓋（１８）はゴムリング（１３）を介在して螺合することを特徴とする請求項１〜請求項３のいずれかに記載のヤスリケース。
【請求項５】
前記長尺筒体（８）は、蓋装着部（２）と外筒（３）との間に溝（６）を設けたことを特徴とする請求項１〜請求項４のいずれかに記載のヤスリケース。
【請求項６】
前記溝（６）に紐（７）を取り付けたことを特徴とする請求項１〜請求項５のいずれかに記載のヤスリケース。
【請求項７】
前記長尺筒体（８）は、塩化ビニール等の硬質合成樹脂製であることを特徴とする請求項１〜請求項６のいずれかに記載のヤスリケース。
【請求項８】
前記蓋（１８）と前記本体蓋装着部（２）は、ネジで螺合し、少なくとも雄ネジのネジ山は８回転以上の螺旋であり、好ましくは１０回転以上の螺旋で構成されたことを特徴とする請求項１〜請求項７のいずれかに記載のヤスリケース。